(57)【要約】【課題】背面の地山などと、パネルとの間隔が狭い場合にもパネルを積み上げて壁面の構築ができるパネルを提供する。【解決手段】コンクリート製の平板であるパネル本体１と、パネルに取り付け、パネルの背面に向けて出入り自在の伸縮脚２と、パネル背面に突出した支持棚３と、パネル背面に突出した埋設プレート４とより構成する。【選択図】図１
2014185452.tif 000002
【特許請求の範囲】
【請求項１】
コンクリート製の平板であるパネル本体と、
パネルに取り付け、パネルの背面に向けて出入り自在の伸縮脚と、
パネル背面に突出した支持棚と、
パネル背面に突出した埋設プレートとより構成し、
支持棚はパネル背面と直交する面を備えた部材であり、
埋設プレートはパネル背面と平行な面を備えた部材であることを特徴とする壁面構築用パネル。
【請求項２】
前記の支持棚は、
パネル背面から突出した鋼板である、
請求項１記載の壁面構築用パネル。
【請求項３】
前記の支持棚は、
パネルの上端に係合してパネルに固定し、その一部をパネル背面側に突出した片持ち金具である、
請求項１記載の壁面構築用パネル。
【請求項４】
請求項１から３に記載のいずれかのパネルを使用し、
パネルを鉛直方向に積み重ね、
上段のパネルの支持棚を鉛直方向に貫通し、かつ下端をコンクリート内に固定した鋼棒で連結して緊張して一体化し、
上段のパネルの伸縮脚で背面の地山などとの間隔を維持し、
パネルと地山などとの間にコンクリートを打設して行うことを特徴とする、
壁面の構築方法。
【発明の詳細な説明】
【技術分野】
【０００１】
本発明は壁面構築用パネルと壁面の構築方法に関するものである。
【背景技術】
【０００２】
現場で型枠を組み立てその内側にコンクリートを打設して擁壁などの壁面を構築する方法は公知である。
また型枠としてプレキャストコンクリートパネルやブロックを使用する工法も広く採用されている。
例えば図５に示すような、コンクリートブロックａの背面に二か所の棚部ｂを突設し、上下のブロック間を、棚部ｂを上下方向に貫通した鋼材ｃで締め付けて固定する構造である。
【先行技術文献】
【特許文献】
【０００３】
【特許文献１】特開２０１０−１９０４３号公報
【発明の概要】
【発明が解決しようとする課題】
【０００４】
前記した従来の擁壁などの壁面を構築するためのパネルや、その構築方法にあっては次のような問題点がある。
＜１＞  図５に示すような構造は、多くの利点を備えているが、ただしパネルやブロックａの背面での鋼材ｃの連結、固定、締め付け作業が必要となる。
＜２＞  そのために、新設する擁壁の背後に接近した斜面が存在して背面に人が入れなかったり、締め付けのために手が届かない場合には組み立てが不可能となる場合がある。
【課題を解決するための手段】
【０００５】
上記のような課題を解決するために、本発明の壁面構築用パネルは、パネル本体と、パネルから背面に向けて出入り自在の伸縮脚と、パネル背面に突出した支持棚と、パネル背面に突出した埋設プレートとより構成し、支持棚はパネル背面と直交する面を備えた部材であり、埋設プレートはパネル背面と平行な面を備えた部材であることを特徴とするものである。
また壁面の構築方法は、上記のパネルを使用し、パネルを鉛直方向に積み重ね、上段のパネルの支持棚を鉛直方向に貫通し、かつ下端をコンクリート内に固定した鋼棒で連結して緊張して一体化し、上段のパネルの伸縮脚で背面の地山などとの間隔を維持し、パネルと地山などとの間にコンクリートなどを打設して行うことを特徴とするものである。
【発明の効果】
【０００６】
本発明の壁面構築用パネルと壁面の構築方法は以上説明したようになるから次のような効果の少なくとも一つを得ることができる。
＜１＞  前面から手の届く範囲でパネル本体の積み上げと、鋼棒による支持作業を行うことできる。そのために、パネル本体の積み上げ位置と背面との間に人が入れないような狭い現場でも問題なくパネル本体を積み上げて壁面を構築することができる。
＜２＞  パネル本体背面の鋼棒の締め付けだけであると、パネル本体が背面側に傾斜してしまうが、本発明のパネル本体はその背面に伸縮脚を背面に向けて突出させているので、その伸縮脚の突出する長さを調整することによって、上下、左右のパネル本体の間で正確な同一面を維持することができる。
＜３＞  そのために例えば急傾斜など、法面に接近して壁面を構築する工事、老朽化したモルタル吹き付け斜面をコンクリートパネルで被覆して復旧する工事、あるいは堤防などの土砂斜面をコンクリート壁で被覆する工事など、他の工法では施工が不可能か困難な工事に有効に活用することができる。
【図面の簡単な説明】
【０００７】
【図１】本発明のパネル本体の実施例の斜視図。
【図２】パネル本体を組み立てた状態を背面から見た説明図。
【図３】組み立て状態の側面からの説明図。
【図４】他の実施例の説明図。
【図５】従来の類似工法の説明図。
【発明を実施するための形態】
【０００８】
以下図面を参照にしながら本発明の壁面構築用のパネルの好適な実施の形態を詳細に説明する。
【実施例】
【０００９】
＜１＞全体の構成
本発明の壁面構築用のパネルは、パネル本体１と伸縮脚２と、支持棚３と、埋設プレート４とによって構成する。
なお本発明の明細書、特許請求の範囲において「背面」とは現場でパネルを設置した場合の地山側を意味し、反対の開放側を「前面」と称する。
また説明は基本的にはパネル本体１を鉛直に立てた状態を前提にその姿勢を説明するが、その場合に「水平」とか「鉛直」とは物理的に正確な意味で使用するものではなく、概略の方向を示す用語である。
また「地山など」とは、傾斜した地山のことだけではなく、老朽化したモルタル吹き付け斜面、老朽化したコンクリート擁壁や護岸の斜面、壁面、あるいは堤防の土砂斜面などを含んだ意味で使用する。
また「壁面」とは一般の擁壁に限らず、シートパイル護岸、建築の壁面など、壁状の構造物を広く含む意味である。
【００１０】
＜２＞パネル本体
パネル本体１とは、プレキャストのコンクリート版が基本であるが、矩形のブロックなども含めてパネル本体１と称する。
いずれの場合でも工場で生産したコンクリート製品であり、それを積み上げて壁面の型枠面を構成するものである。
積み上げた時の安定と位置の確保のために、上縁には山形の突条１１を突設し、下縁にはそれに応じる溝１２を刻設する。
積み上げた型枠面と背面の地山などの間には現場でコンクリートなどを打設してパネル本体１を含めて壁面を構成するものである。
【００１１】
＜３＞伸縮脚
パネル本体１の一部には、パネル本体１の背面から地山側に向けて出入り自在の伸縮脚２を取り付ける。
出入り自在の伸縮脚２として簡単なスクリュージャッキを使用することができる。
このスクリュージャッキはパネル本体１の背面から落下しないように、かつ簡単に取り外しができるように設置する必要がある。
そのために例えば下面開放の逆Ｕ字状の鋼材を係合枠２１として使用し、その側面にスクリュージャッキの一端を溶接する。
この係合枠２１を、パネル本体１の上端から被せて伸縮脚２を伸長し、用途が終了したら係合枠２１をパネル本体１の上端から上方へ引き抜いて取り外すような使用をすることができる。
【００１２】
＜４＞支持棚
パネル本体１の背面には、背面の地山側に向けて支持棚３を突設する。
この支持棚３はパネル本体１の背面と直交する棚状の水平面を備えた部材であり、たとえば断面Ｌ字状のアングル材を使用して構成する。
アングル材の一部をパネル本体１の内部に埋め込み、パネル本体１の背面から突出したアングル材の水平部分を支持棚３として機能させる。
この支持棚３には貫通孔３１を開口する。
この貫通孔３１に、鉛直方向から鋼棒５を貫通し、貫通孔３１の内径よりも大きい外径のナットで鋼棒５のネジ山を締め付けることによってパネル本体１に鉛直の姿勢で維持させることができる。
なお「貫通孔」とは独立した穴に限らず、一部に切り込みを入れてその切り込みの内部に鋼棒を挿入するような構造も含む意味である。
この支持棚３の突設位置は、できるだけパネル本体１の上端に近い位置であることが望ましい。
そのように設置してあれば、パネル本体１の背面に人が入らなくとも、パネル本体１の前面のみからで、鋼棒５の緊張作業を行うことができるからである。
【００１３】
＜５＞一体型の支持棚
上記の支持棚３は、コンクリート製のパネル本体１の内部にアングル材の一部を埋め込んだ構造であった。
しかしこの支持棚３に相当する棚部材を、コンクリートでパネル本体１と一体として成形することもできる。
すなわち平板状のコンクリート版の一部を棚状に背面側に突設し、その支持棚３に鉛直方向の貫通孔３１を開口する構造である。
【００１４】
＜６＞取り外し可能な支持棚（図４）
支持棚３をパネル本体１と一体とせず、その上縁への取り付けと取り外しが可能であるように構成することもできる。
その場合は、水平方向の片持ち金具６を使用する。
この片持ち金具６は、水平の片持ち材と、その下面に鉛直方向に突設した２枚の固定板６１で、逆Ｕ字状に構成する。
そして外側の固定板６１にボルトを介して加圧板６２を、パネル本体１に向けて移動可能に取り付ける。
するとボルトの回転によって加圧板６２をパネル本体１に加圧状態で押し付けることができ、片持ち金具６をパネル本体１の上縁を強固に固定することができる。
その固定状態において、片持ち金具６はパネル本体１の背面から張り出す状態となる。
このように加圧板６２でパネル本体１の上縁を把持する構造であれば、片持ち金具６はパネル本体１の上縁に沿って移動が可能となるから、設置する位置を自由に設定することができる。
水平の片持ち金具６の背面の先端に、鋼棒５を挿入する貫通孔３１を鉛直方向に開口したり、あるいは切り込みを形成しておくことは上記の実施例と同様である。
片持ち金具６は、Ｕ字状のチャンネル材、Ｌ字状のアングル材などを使用すれば、鋼棒５の締め付け時に十分な強度を確保することができる。
また片持ち金具６の固定板６１のうちで背面側の固定板６１に、前記の伸縮脚２の端部を固定して支持棚３と共用させることもできる。
【００１５】
＜７＞埋設プレート
パネル本体１の背面には、背面の地山側に向けて埋設プレート４を突設させて設ける。
この埋設プレート４は、後述するコンクリート打設工程でコンクリート内に埋設し、パネル本体１とコンクリートとを強固に一体化させるための部材である。
そのために埋設プレート４は矩形、円形の鋼製の板体で構成し、パネル本体１の背面から突設させたボルト４１の先端に取り付ける。
埋設プレート４の取り付け状態は、パネル本体１の背面と平行な面を備えるように位置させる。
この埋設プレート４は、パネル本体１を鉛直に積み重ねる以前に取り付けておくので、パネル本体１の前面からの作業は不要である。
したがって埋設プレート４はパネル本体１の背面のいずれの位置に設置してあっても組み立て作業への影響はない。
なお埋設プレート４の位置次第では、その組み立て作業を、パネル本体１の前面から手を伸ばして行うことももちろん可能である。
【００１６】
＜８＞構築方法
次に上記で説明したパネルを使用して行う、壁面の構築方法について説明する。
【００１７】
＜９＞基礎の構築
上記のパネルを鉛直に積み重ねて行くために基礎を構築する。
この基礎には、鉛直方向に最下段の鋼棒５の下端を埋設して設置しておく。このような壁面の基礎の構造は公知である。
【００１８】
＜１０＞パネルの設置
基礎の上にパネル本体１を鉛直に立てる。
前記したようにここで「鉛直」とは物理的に正確な意味での鉛直ではなく、地山の斜面などに平行して設置する場合も含む意味である。
最下段の鋼棒５の上端は、立てたパネル本体１の支持棚３の貫通孔３１の直下に位置している。
そこでパネル本体１の前面から次の段の鋼棒５を、支持棚３の貫通孔３１を通して挿入し、その下端と、最下段の鋼棒５の上端とをナット筒を介して接続して一体化する。
【００１９】
＜１１＞鋼棒の締め付け
支持棚３の貫通孔３１を貫通させた鋼棒５にナットを取り付けて、支持棚３に反力を取って締め付ける。
この取り付け、締め付け作業は、パネル本体１の背面に人が入れない場合であっても、パネル本体１の前面からすべて行うことができる。
この工程で鋼棒５を鉛直方向に延長し、下端が基礎コンクリートに埋め込んである下段の鋼棒５を、上段の鋼棒５の支持棚３との間で締め付けて固定することができる。
前記した他の実施例の場合にも、コンクリートブロックの支持棚３の貫通孔３１、あるいは片持ち金具６の貫通孔３１への鋼棒５の貫通、締め付け工程は同様に行う。
この緊張によってパネル本体１が前面に転倒することを阻止できる。
しかしこの状態のままでは、鋼棒５の緊張によってパネル本体１には背面側へ傾斜する力が作用することになる。
【００２０】
＜１２＞伸縮脚の調整
パネル本体１の上部には、背面に向けて伸縮脚２が突出している。
この伸縮脚２の背面側への突出距離を調整することによって、伸縮脚２は背面の地山などに反力を取って突っ張ることになる。
その結果、パネル本体１が背面側に傾斜する動きを阻止することができ、他のパネル本体１と正確な同一面を維持させることができる。
あるいは左右の伸縮脚２の突出長さを変えることによって、折り曲げ状態のパネル群を形成することができる。
この伸縮脚２の長さ調整も、パネル本体１の背面に人が入れなくとも、パネル本体１の前面から容易に行うことができる。
【００２１】
＜１３＞コンクリートなどの打設
上記の工程によって、左右方向のパネルの位置が固定したら、地山などの面との間にコンクリート、ソイルセメント、気泡混合軽量盛土、吹付モルタルなどを打設する。
打設したコンクリートなどの内部には埋設プレート４が鉛直に位置しているから、コンクリートなどと、その表面のパネル本体１との一体化が確実となる。
【００２２】
＜１４＞上段のパネルの設置
コンクリートが硬化したらパネル本体１の上端から伸縮脚２を取り外し、パネル本体１の上に新たなパネル本体１を積み上げる。
その際に、下段のパネル本体１の上縁の突条１１の上に、上段のパネル本体１の下縁の溝１２を嵌合させると位置が確保できる。
その後、前記の工程と同様に鋼棒５の接続と緊張、伸縮脚２での傾斜の調整を行ってコンクリートを打設する。
下段の鋼棒５は、コンクリート内に埋め込まれているから、上段の鋼棒５の締め付けに対する反力を得ることができる。
なおコンクリートの打設は、積み上げたパネル１段ごとに行う。
その際に、コンクリート打継面にコンクリートの弱点となりやすいため打継鉄筋を設置するとよい。
本発明の壁面において、鋼棒５は鉛直方向に配置してあるから、上下段のコンクリートの一体化を確実とする打継鉄筋の機能も果たすことになる。
こうして水平面と鉛直面を広げて壁面の構築が完成する。
【符号の説明】
【００２３】
１：パネル本体
２：伸縮脚
３：支持棚
４：埋設プレート
５：鋼棒
６：片持ち金具
【図１】
2014185452.tif 000003
【図２】
2014185452.tif 000004
【図３】
2014185452.tif 000005
【図４】
2014185452.tif 000006
【図５】
2014185452.tif 000007